(57)【要約】【課題】電線からの振動が端子に伝達することを抑制することができる。【解決手段】キャビティ１１を有するコネクタハウジング１０と、前記キャビティ１１内に収容されると共に、電線接続部５３を備えた端子５０と、前記端子５０の前記電線接続部５３に接続された電線３０と、前記電線３０に外嵌されると共に前記キャビティ１１の内壁に密着するゴム栓６０と、前記電線３０と前記ゴム栓６０とを固定する固定部７０と、を備え、前記電線３０は、前記電線接続部５３に接続された部分と、前記固定部７０によって固定された部分との間に、可撓性を有する振動吸収部３５を備えた。【選択図】図３
2017191654.tif 000002
【特許請求の範囲】
【請求項１】
キャビティを有するコネクタハウジングと、
前記キャビティ内に収容されると共に、電線接続部を備えた端子と、
前記端子の前記電線接続部に接続された電線と、
前記電線に外嵌されると共に前記キャビティの内壁に密着するゴム栓と、
前記電線と前記ゴム栓とを固定する固定部と、を備え、
前記電線は、前記電線接続部に接続された部分と、前記固定部によって固定された部分との間に、可撓性を有する振動吸収部を備えたコネクタ。
【請求項２】
前記電線は、可撓性を有する芯線と、前記芯線を覆う絶縁被覆と、を備え、
前記振動吸収部は、前記絶縁被覆の端部から露出した前記芯線からなる請求項１に記載のコネクタ。
【請求項３】
前記コネクタハウジングは、前記電線に外嵌された前記ゴム栓に、前記電線の前記コネクタハウジングからの導出方向から当接する抜け止め部材を備えた請求項１または請求項２に記載のコネクタ。
【発明の詳細な説明】
【技術分野】
【０００１】
本発明は、コネクタに関する。
【背景技術】
【０００２】
自動車等の車両に搭載された電気機器の接続には、相手側端子と接続される端子を収容したコネクタが用いられる。この種のコネクタとして特開平８−９６８７８号公報に記載のものが知られている。このコネクタは、雌ハウジングの嵌合側に設けたフロントホルダの前端にゴムパッキンなどの弾性体を装着することにより、雄ハウジングと雌ハウジングとの嵌合時に生じるガタつきを防止するようになっている。
【０００３】
また、このコネクタのハウジング内には端子が収容され、この端子と電線が接続される。端子と電線とは、電線の端末から露出した芯線の外周に巻き付くように圧着されたワイヤーバレルと、芯線に被覆された絶縁被覆に巻き付くように圧着されたインシュレーションバレルと、によって固定されている。
【先行技術文献】
【特許文献】
【０００４】
【特許文献１】特開平８−９６８７８号公報
【発明の概要】
【発明が解決しようとする課題】
【０００５】
しかしながら、雄ハウジングと雌ハウジングとの間のガタつきを抑制したとしても、車両の振動が電線に伝わり、この電線から、コネクタ内に収容された端子へと、振動が伝達される場合がある。この結果、端子と、相手側端子とが摺動することが懸念される。すると、端子と相手側端子との接点部に摩耗が生じて、端子の電気的な接続信頼性が低下する虞がある。
【課題を解決するための手段】
【０００６】
本明細書で開示されるコネクタは、キャビティを有するコネクタハウジングと、前記キャビティ内に収容されると共に、電線接続部を備えた端子と、前記端子の前記電線接続部に接続された電線と、前記電線に外嵌されると共に前記キャビティの内壁に密着するゴム栓と、前記電線と前記ゴム栓とを固定する固定部と、を備え、前記電線は、前記電線接続部に接続された部分と、前記固定部によって固定された部分との間に、可撓性を有する振動吸収部を備えた。
【０００７】
このような構成によると、固定部によって電線とゴム栓とが固定されており、このゴム栓がキャビティの内壁に密着しているので、電線はゴム栓を介してコネクタハウジングに固定された状態になっている。これにより、車両から電線に振動が伝達された場合でも、コネクタハウジングによって電線の振動を抑制することができる
【０００８】
また、電線には、固定部によって固定された部分と、電線接続部に接続された部分との間に、振動吸収部が設けられている。この振動吸収部が撓み変形することによって振動が吸収されるので、振動が電線接続部に達することをより抑制することができる。
【０００９】
このように、電線は、ゴム栓が外嵌された部分においては、いわゆる剛構造によって振動が抑制され、また、振動吸収部においては、いわゆる柔構造によって振動が吸収されるようになっている。これにより、振動が端子に伝達されることが抑制されるので、端子の電気的な接続信頼性を向上させることができる。
【００１０】
本明細書に開示されるコネクタの実施の態様として、以下の構成としてもよい。
前記電線は、可撓性を有する芯線と、前記芯線を覆う絶縁被覆と、を備え、前記振動吸収部は、前記絶縁被覆の端部から露出した前記芯線からなる構成としても良い。
【００１１】
このような構成では、絶縁被覆から露出した芯線が振動吸収部とされているので、さらに振動を吸収することができる。これにより、端子の電気的な接続信頼性をより向上させることができる。
【００１２】
また、前記コネクタハウジングは、前記電線に外嵌された前記ゴム栓に、前記電線の前記コネクタハウジングからの導出方向から当接する抜け止め部材を備えた構成としても良い。
【００１３】
このような構成によれば、抜け止め部材によってゴム栓が固定されるため、電線の振動を一層抑制することができる。
【発明の効果】
【００１４】
本明細書に開示されるコネクタによれば、電線からの振動が端子に伝達することを抑制することができる。
【図面の簡単な説明】
【００１５】
【図１】実施形態にかかるコネクタの抜け止め部材を押し込む前の状態での斜視図
【図２】コネクタの抜け止め部材を押し込む前の状態での断面図
【図３】コネクタの抜け止め部材を押し込んだ状態での断面図
【発明を実施するための形態】
【００１６】
＜実施形態＞
実施形態を図１及び図３の図面を参照しながら説明する。
本実施形態のコネクタＣは、図１及び図２に示すように、コネクタハウジング１０と、電線３０に接続された端子５０と、電線３０に外嵌するゴム栓６０と、電線３０とゴム栓６０とを固定する固定部７０と、ゴム栓６０を抜け止めする抜け止め部材８０とを備えている。以下の説明では、上下方向については、図２の上下方向を基準とする。また、図２における左側（相手側コネクタとの嵌合方向）を前側とし、図２における右側（電線３０が引き出される側）を後側とする。
【００１７】
コネクタハウジング１０は、合成樹脂製であって、図２に示すように、端子５０及び電線３０の一部が収容されるキャビティ１１が左右方向に複数並んで設けられている。各キャビティ１１は前後方向に延びており、前半部分が端子５０を収容する端子収容部１１Ａとなっており、後半部分が電線３０の端部及びゴム栓６０を収容する電線収容部１１Ｂとなっている。キャビティ１１は、端子収容部１１Ａの内寸法よりも電線収容部１１Ｂの内寸法が大きくなっている。キャビティ１１の端子収容部１１Ａは後方視矩形状をしている一方で、電線収容部１１Ｂは後方視円形状をしている。
【００１８】
キャビティ１１の端子収容部１１Ａの底壁には、片持ち状のランス１３が設けられている。ランス１３は、上下方向に弾性変形可能で、端子５０を係止可能となっている。キャビティ１１の前方には、相手側端子が挿通可能な挿入口１５が設けられており、キャビティ１１の後方には、電線３０を導出可能な開口部１７が設けられている。
【００１９】
電線３０は、図２に示すように、複数の金属素線からなる可撓性を有する芯線３１が絶縁被覆３３によって覆われた構成となっている。芯線３１は軸線方向と交差する方向に撓み可能な程度の可撓性を有しており、周囲は絶縁被覆３３に覆われている。
【００２０】
端子５０は、導電性の金属板材をプレス加工後、折り曲げ加工して形成される。端子５０は、図２に示すように、相手側端子と接続される角筒状の接続部５１と、接続部５１の後方に連なって設けられ電線３０の芯線３１と接続される電線接続部５３とを備えている。電線接続部５３はオープンバレル形式のかしめ片を備えており、このかしめ片が芯線３１の外周に巻き付くようにかしめ付けられて圧着されることで、芯線３１と端子５０が接続される。接続部５１はランス１３によってキャビティ１１内に係止されている。
【００２１】
ゴム栓６０は、図２に示すように、前後方向に長い円筒形状をしており、電線３０に外嵌されている。詳細には、電線３０のうち絶縁被覆３３が設けられた部分に外嵌されている。ゴム栓６０の中心軸は、端子５０（接続部５１）と同軸上に配されている。ゴム栓６０は、ゴム栓本体部６１と、ゴム栓本体部６１の前方に連設されて固定部７０によって固定されるゴム栓固定部６３とを備えている。固定部７０によって固定された状態のゴム栓固定部６３の外径寸法は、ゴム栓本体部６１の外径寸法よりも小さくなっている。
【００２２】
ゴム栓本体部６１の外周面には、キャビティ１１の電線収容部１１Ｂの内周壁に対して弾性的に密着する外周リップ６５が突出した形態で周設されている。外周リップ６５は、断面視凹凸形状をなして全周に亘って形成されている。ゴム栓６０が電線収容部１１Ｂ内に嵌合されると、各外周リップ６５の頂点部分が電線収容部１１Ｂの内周壁によって押し潰されて密着し、電線３０の外周面と電線収容部１１Ｂの内周壁との間がゴム栓６０によってシールされる。
【００２３】
ゴム栓本体部６１の後端部は、電線収容部１１Ｂの後端部に緊密に嵌合する大径部６７とされている。この大径部６７は外周リップ６５の後方において電線収容部１１Ｂに対して緊密に嵌合することにより、ゴム栓６０から後方に導出された電線３０が仮に曲げられても、電線収容部１１Ｂの内周壁と外周リップ６５との間に隙間ができることを防止している。
【００２４】
固定部７０は、金属製であって、オープンバレル形状の板状部材である。固定部７０がゴム栓６０のゴム栓固定部６３の外周に巻き付けるようにかしめ付けられる（圧着される）ことで、ゴム栓６０と電線３０が固定される。
【００２５】
抜け止め部材８０は、合成樹脂製であって、図１及び図２に示すように、コネクタハウジング１０の後面及び開口部１７を覆うようになっている。また、抜け止め部材８０は、電線３０のコネクタハウジング１０からの導出方向（後方）からゴム栓６０に当接するように装着されている。抜け止め部材８０は、平板状の抜け止め本体部８１と、コネクタハウジング１０に係止するための係止部８３とを備えている。抜け止め本体部８１は、後面視矩形状をしており、ゴム栓６０の後面と抜け止め本体部８１の前面とが当接することで、ゴム栓６０が後方に移動するのを規制する。また、抜け止め本体部８１には、電線３０を挿通するための挿通溝８５が設けられている。挿通溝８５は、抜け止め本体部８１の上縁から上下方向の中央位置まで溝状に切欠かれることで設けられている。挿通溝８５の幅方向の内寸は、電線３０の外径と同じか若干小さくなっている。
【００２６】
係止部８３は、抜け止め本体部８１の上縁と下縁から各一対ずつ合計４つ設けられている。係止部８３は、抜け止め本体部８１の上縁と下縁から前方に向かって延びており、その先端部にコネクタハウジング１０側に突出する係止爪８３Ａが設けられている。係止爪８３Ａは、コネクタハウジング１０に設けられた係止凹部１９に係止される。係止凹部１９は、コネクタハウジング１０の後端部に設けられており、係止爪８３Ａの形状に合わせて、コネクタハウジング１０の内側に凹んでいる。係止爪８３Ａが係止凹部１９に係止することで、抜け止め部材８０がコネクタハウジング１０に係止される。
【００２７】
さて、電線３０には、図２及び図３に示すように、端子５０が接続された位置からゴム栓６０が外嵌される位置までの絶縁被覆３３を皮剥ぎして芯線３１を大きく露出させることで、可撓性を有する振動吸収部３５が形成されている。振動吸収部３５は、絶縁被覆３３に覆われていないので、電線３０のうち絶縁被覆３３に覆われた部分に比べて撓み易くなっている。振動吸収部３５は、その前後方向の長さ寸法が端子５０の電線接続部５３が配される位置とゴム栓６０が配される位置との間の寸法よりも長くなっている。そのため、端子５０及びゴム栓６０が正規位置に配されると、振動吸収部３５は前後方向（電線３０が延びる方向）と交差する方向に撓んだ状態になっている。
【００２８】
本実施形態のコネクタＣは、以上のような構成であって、続いてその組み付け方法及び作用を説明する。
まず、電線３０の端部において、絶縁被覆３３を皮剥ぎする。この際に、通常よりも絶縁被覆３３を大きく皮剥ぎし、ゴム栓６０が装着される位置の手前まで芯線３１を露出させることにより、電線３０に振動吸収部３５を形成する。
【００２９】
次に、電線３０にゴム栓６０を先通しして、絶縁被覆３３の前端位置とゴム栓６０の前端位置が揃う位置で電線３０にゴム栓６０を外嵌する。そして、固定部７０をゴム栓固定部６３の外周に巻き付けるようにしてかしめ付けることで、電線３０とゴム栓６０とを固定する。なお、電線３０とゴム栓６０とが相対的に移動しない程度に、固定部７０によって電線３０とゴム栓６０とは強固に固定されている。
【００３０】
そして、電線３０の露出した芯線３１の端末に端子５０を接続する。端子５０の電線接続部５３を芯線３１にかしめ付けることで、端子５０と芯線３１を圧着する。次に、端子５０が装着された電線３０を抜け止め部材８０に挿通させる。ゴム栓６０のゴム栓本体部６１の後端面（大径部６７の後端面）が、抜け止め本体部８１の前面と当接するように、ゴム栓６０の後方に延びる電線３０を上方から挿通溝８５に挿通させて、電線３０を抜け止め部材８０の後方に引き出す。
【００３１】
次に、図１及び図２に示すように、電線３０が接続された端子５０をコネクタハウジング１０に収容する。端子５０がキャビティ１１の端子収容部１１Ａの正規位置に収容されると、ランス１３によって端子５０が係止される。一方で、ゴム栓６０のゴム栓本体部６１は、振動吸収部３５の冗長分（撓ませるための長さ分）正規位置より後方に位置している。より具体的には、ゴム栓本体部６１はコネクタハウジング１０のキャビティ１１の後方外部に位置しており、ゴム栓本体部６１は開口部１７より後方に露出した状態となっている。また、抜け止め部材８０もゴム栓６０の位置に合わせて正規位置より後方に位置している。
【００３２】
この状態（図２の状態）から抜け止め部材８０を前方に押し込んで、図３に示すように、抜け止め部材８０をコネクタハウジング１０に装着する。抜け止め部材８０を前方に押すと、抜け止め本体部８１に押されたゴム栓本体部６１がコネクタハウジング１０のキャビティ１１の電線収容部１１Ｂ内に押し込まれて、外周リップ６５がキャビティ１１の電線収容部１１Ｂの内壁と密着する。また、大径部６７もキャビティ１１の後端部の内壁と密着する。一方で、絶縁被覆３３から露出した芯線３１（振動吸収部３５）がキャビティ１１の電線収容部１１Ｂ内で撓んだ状態となる。そして、抜け止め部材８０の係止部８３の係止爪８３Ａが、図１に示すように、コネクタハウジング１０の係止凹部１９に係止されることで、抜け止め部材８０がコネクタハウジング１０に装着される。
【００３３】
このようにして、電線３０と固定部７０によって固定されたゴム栓６０がコネクタハウジング１０のキャビティ１１の電線収容部１１Ｂの内壁に密着する。また、ゴム栓６０は、抜け止め部材８０が後方から当接することで、キャビティ１１内から抜け落ちないように固定されている。そのため、電線３０はゴム栓６０を介してコネクタハウジング１０に固定された状態になっている。そのため、外部から電線３０に振動が伝達されても、コネクタハウジング１０との間でゴム栓６０を介して電線３０が固定された状態となっていることで、電線３０の振動が抑制される。
【００３４】
また、電線３０には、固定部７０によってゴム栓６０と固定された部分と、端子５０の電線接続部５３に接続された部分との間に、振動吸収部３５が設けられている。この振動吸収部３５が可撓性を有しており、撓み変形することによって振動が吸収されるので、振動が電線接続部５３に達することをより抑制することができる。
【００３５】
以上のように、本実施形態のコネクタＣでは、電線３０に外部から伝達された振動が端子５０に到達するのを抑制することができる。電線３０は、ゴム栓６０が外嵌された部分（固定部７０によってゴム栓６０が固定された部分）においては、いわゆる剛構造によって振動が抑制される。また、振動吸収部３５においては、いわゆる柔構造によって振動が吸収されるようになっている。つまり、剛構造と柔構造の二重構造によって振動が伝達することが抑制されている。このようにして、電線３０の振動が端子５０に伝達されることが抑制されるので、端子５０の電気的な接続信頼性を向上させることができる。
【００３６】
＜他の実施形態＞
本明細書によって開示される技術は上記記述及び図面によって説明した実施形態に限定されるものではなく、例えば次のような種々の態様も含まれる。
（１）上記実施形態では、抜け止め部材８０を設けていたが、抜け止め部材８０がなくても良い。
【００３７】
（２）上記実施形態では、振動吸収部３５は、絶縁被覆３３の端部から露出した芯線３１からなっていたが、絶縁被覆を皮剥ぎしなくても可撓性を有していれば良い。また、編組線など他の可能性を有する材料によって形成しても良い。
【００３８】
（３）上記実施形態では、固定部７０はオープンバレル形状の金属製の板状部材をゴム栓６０の外周に巻き付けるようにして固定していたが、Ｃリングなどを外周にはめ込むことで固定しても良い。また、ゴム栓と電線との間に固定部材を装着することで固定しても良いし、ゴム栓を二色成型にして固定部分の硬度を上げることで電線３０との間を固定しても良い。
【符号の説明】
【００３９】
１０：コネクタハウジング
１１：キャビティ
１１Ａ：端子収容部
１１Ｂ：電線収容部
１３：ランス
１９：係止凹部
３０：電線
３１：芯線
３３：絶縁被覆
３５：振動吸収部
５０：端子
５１：接続部
５３：電線接続部
６０：ゴム栓
７０：固定部
８０：抜け止め部材
８３：係止部
Ｃ：コネクタ
【図１】
2017191654.tif 000003
【図２】
2017191654.tif 000004
【図３】
2017191654.tif 000005
【手続補正書】
【提出日】平成29年5月18日(2017.5.18)
【手続補正１】
【補正対象書類名】特許請求の範囲
【補正対象項目名】全文
【補正方法】変更
【補正の内容】
【特許請求の範囲】
【請求項１】
キャビティを有するコネクタハウジングと、
前記キャビティ内に収容されると共に、電線接続部を備えた端子と、
前記端子の前記電線接続部に接続された電線と、
前記電線に外嵌されると共に前記キャビティの内壁に密着する外周リップが設けられたゴム栓本体部を有するゴム栓と、
前記電線と前記ゴム栓とを固定する固定部と、を備え、
前記電線は、前記電線接続部に接続された部分と、前記固定部によって固定された部分との間に、可撓性を有する振動吸収部を備え、
前記ゴム栓は、前記ゴム栓を前記キャビティに押し込む方向について前記ゴム栓本体部の前方に連接されて前記固定部によって固定されるゴム栓固定部を備え、
前記固定部によって固定された状態の前記ゴム栓固定部の外径寸法は、前記ゴム栓本体部の外径寸法よりも小さくなっているコネクタ。
【請求項２】
前記電線は、可撓性を有する芯線と、前記芯線を覆う絶縁被覆と、を備え、
前記振動吸収部は、前記絶縁被覆の端部から露出した前記芯線からなる請求項１に記載のコネクタ。
【請求項３】
前記コネクタハウジングは、前記電線に外嵌された前記ゴム栓に、前記電線の前記コネクタハウジングからの導出方向から当接する抜け止め部材を備えた請求項１または請求項２に記載のコネクタ。
【手続補正２】
【補正対象書類名】明細書
【補正対象項目名】０００６
【補正方法】変更
【補正の内容】
【０００６】
本明細書で開示されるコネクタは、キャビティを有するコネクタハウジングと、
前記キャビティ内に収容されると共に、電線接続部を備えた端子と、前記端子の前記電線接続部に接続された電線と、前記電線に外嵌されると共に前記キャビティの内壁に密着する外周リップが設けられたゴム栓本体部を有するゴム栓と、前記電線と前記ゴム栓とを固定する固定部と、を備え、前記電線は、前記電線接続部に接続された部分と、前記固定部によって固定された部分との間に、可撓性を有する振動吸収部を備え、前記ゴム栓は、前記ゴム栓を前記キャビティに押し込む方向について前記ゴム栓本体部の前方に連接されて前記固定部によって固定されるゴム栓固定部を備え、前記固定部によって固定された状態の前記ゴム栓固定部の外径寸法は、前記ゴム栓本体部の外径寸法よりも小さくなっている。